(57)【要約】【課題】基板上に配置された部品に関するリファレンスを視認しやすくし、かつ、基板の小型化を図ることが可能な電気電子機器及び空気調和装置を提供することを目的とする。【解決手段】電気電子機器は、基板１と、基板１上において互いに隣接して配置された複数の部品２と、基板１上に配置され、部品２に関する情報を有する文字列からなるリファレンス５とを備え、複数の部品２の配置関係に対応して、互いに隣接して配置された複数のリファレンス５を含むリファレンス群７を有し、リファレンス群７において、リファレンス５の長手方向は、基板１に配置された部品２の配置方向に対応している。【選択図】図１
2017199778.tif 000002
【特許請求の範囲】
【請求項１】
基板と、
前記基板上において互いに隣接して配置された複数の部品と、
前記基板上に配置され、前記部品に関する情報を有する文字列からなるリファレンスと、
を備え、
前記複数の部品の配置関係に対応して、互いに隣接して配置された複数の前記リファレンスを含むリファレンス群を有し、
前記リファレンス群において、前記リファレンスの長手方向は、前記基板に配置された前記部品の配置方向に対応している電気電子機器。
【請求項２】
前記基板上において前記複数の部品の近傍に配置され、前記複数の部品を包括的に表わす記号からなる第１リンク記号と、
前記基板上において前記リファレンス群の近傍に配置され、前記第１リンク記号と同一の記号からなる第２リンク記号と、
を更に備える請求項１に記載の電気電子機器。
【請求項３】
前記リファレンス群は、弱電用の前記部品に関する前記リファレンスを含み、強電用の前記部品が配置された前記基板に配置される請求項１又は２に記載の電気電子機器。
【請求項４】
請求項１から３のいずれか１項に記載の電気電子機器を備える空気調和装置。
【発明の詳細な説明】
【技術分野】
【０００１】
本発明は、電気電子機器及び空気調和装置に関するものである。
【背景技術】
【０００２】
空気調和装置（空調機）の室内機や室外機の筐体内部には、空調機の電源系統や制御系統に用いられる基板（例えばプリント基板）が設置されている。基板上には、集積回路、抵抗器、コンデンサなどの複数の電気電子部品が配置される。基板上の複数の電気電子部品の配置位置は、製品に応じて、部品の種類・大きさ、部品数、配線の位置などに基づいて、都度決定される。
【０００３】
故障が発生して部品を修理する場合や、設計変更等のため部品を検証する場合に備えて、基板上には、基板に配置された部品に対応して、部品の近傍にリファレンス（参照記号）が記載されている。これにより、空調機を修理したり、設計時に改良したりする際、部品の外観からは分からない部品の種類等を、基板に記載されたリファレンスを見て特定できる。
【先行技術文献】
【特許文献】
【０００４】
【特許文献１】特開平７−３２１４４２号公報
【発明の概要】
【発明が解決しようとする課題】
【０００５】
空調機（特に室内機）では、コントローラや基板の小型化が進み、基板上の部品間の間隔が狭くなっている。基板上の部品間の間隔が狭い場合、部品の近傍にリファレンスを配置できる空間を確保できないことがある。また、部品の近傍の狭い空間にリファレンスを無理に配置した場合、リファレンスを小さくせざるを得なくなり、読みにくいという問題が生じる。
【０００６】
上記の特許文献１では、複数の部品を１グループにして、所定の形状で同部品群を囲んだ線を基板上に印刷し、かつ、基板の部品が搭載されていない空き位置に、上記線と相似形の形状を印刷して、その相似形の形状の内側に基板に搭載された部品の相対位置に対応する部品の部品番号を印刷することが記載されている。
【０００７】
しかし、特許文献１に記載された技術を実現するためには、部品群を囲む線と相似形の形状を印刷できる空間があることが必要である。また、相似形の形状を印刷できる空間を基板上に確保するためには、相似形の形状を基板上に予め確保しながら、その他の基板上の部品を配置する設計を行う必要がある。
【０００８】
本発明は、このような事情に鑑みてなされたものであって、基板上に配置された部品に関するリファレンスを視認しやすくし、かつ、基板の小型化を図ることが可能な電気電子機器及び空気調和装置を提供することを目的とする。
【課題を解決するための手段】
【０００９】
上記課題を解決するために、本発明の電気電子機器及び空気調和装置は以下の手段を採用する。
すなわち、本発明に係る電気電子機器は、基板と、前記基板上において互いに隣接して配置された複数の部品と、前記基板上に配置され、前記部品に関する情報を有する文字列からなるリファレンスとを備え、前記複数の部品の配置関係に対応して、互いに隣接して配置された複数の前記リファレンスを含むリファレンス群を有し、前記リファレンス群において、前記リファレンスの長手方向は、前記基板に配置された前記部品の配置方向に対応している。
【００１０】
この構成によれば、基板上において、複数の部品が互いに隣接して配置され、部品に関する情報を有する文字列からなるリファレンスが配置される。このとき、複数のリファレンスは、複数の部品の配置関係に対応するように、互いに隣接して配置される。また、リファレンスは文字列からなるため長手方向を有するところ、リファレンスの長手方向は、基板に配置された部品の配置方向、例えば部品本体の長手方向や、部品本体への脚部の取り付き方などに対応している。したがって、基板を見たとき、ユーザーは、複数のリファレンスのうちそれぞれのリファレンスが、どの部品に対応しているかを認識しやすい。また、リファレンスの長手方向が、基板に配置された部品の配置方向に対応しており、複数のリファレンスの配置関係が対応する複数の部品の配置関係と相似形のように完全に一致していない場合でも、それぞれのリファレンスが、どの部品に対応しているかを認識できる。したがって、リファレンス群を配置する場所に制約がなく、リファレンス群は、基板上の空いている空間に配置されやすい。
【００１１】
上記発明において、前記基板上において前記複数の部品の近傍に配置され、前記複数の部品を包括的に表わす記号からなる第１リンク記号と、前記基板上において前記リファレンス群の近傍に配置され、前記第１リンク記号と同一の記号からなる第２リンク記号とを更に備えてもよい。
【００１２】
この構成によれば、第１リンク記号と第２リンク記号は、同一の記号であり、第１リンク記号は、複数の部品の近傍に配置され、第２リンク記号は、リファレンス群の近傍に配置されることから、ユーザーは、第１リンク記号と第２リンク記号を関連付けて参照できる。したがって、基板上において、複数の部品とリファレンス群が離れた位置にある場合でも、基板を見たとき、ユーザーは、複数の部品に関するリファレンス群を関連付けて認識できる。
【００１３】
上記発明において、前記リファレンス群は、弱電用の前記部品に関する前記リファレンスを含み、強電用の前記部品が配置された前記基板に配置されてもよい。
【００１４】
この構成によれば、比較的部品間の空間が広い強電用領域において、リファレンス群が配置されるため、弱電用の部品が配置された基板において、部品間の空間が狭く、弱電用の部品に関するリファレンス群を配置しにくい場合であっても、リファレンス群を基板上で認識できる。
【００１５】
本発明に係る空気調和装置は、上述の電気電子機器を備える。
【発明の効果】
【００１６】
本発明によれば、基板上に配置された部品に関するリファレンスを視認しやすくし、かつ、基板の小型化を図ることができる。
【図面の簡単な説明】
【００１７】
【図１】本発明の一実施形態に係る空調機に設置される基板及び部品を示す概略平面図である。
【図２】本発明の一実施形態に係る空調機に設置される基板及び部品を示す概略平面図である。
【発明を実施するための形態】
【００１８】
以下に、本発明に係る一実施形態に係る空気調和装置について説明する。
空気調和装置（空調機）の室内機や室外機の筐体内部には、空調機の電源系統や制御系統に用いられる基板１が設置されている。
【００１９】
図１及び図２に示すように、基板１上には、集積回路（ＣＰＵ）、抵抗器、コンデンサ、トランジスタ、トランス、電界コンデンサ、コイルなどの電気電子部品（以下「部品」ともいう。）２や配線（図示せず。）が配置される。空調機に設置される基板１は、強電用領域３と、弱電用領域４とが同一の板に設けられる。図１と図２は、一つの基板１を便宜上２枚の図面で示したものであり、図中の※部分で連続している。強電用領域３は、例えば、ＮＦ（ノイズフィルタ）回路、コンバータ回路が配置され、弱電用領域４は、例えば、制御回路が配置される。基板１と、複数の部品２を有する回路によって、電気電子機器が構成される。電気電子機器は、例えば、電源装置、制御装置などであり、空調機に設置される。
【００２０】
基板１上には、各部品２に対応してリファレンス５が記載される。各リファレンス５は、それぞれリファレンス５に対応する部品２の近傍に設置されてもよいし、部品２から離れた位置に設置されてもよい。リファレンス５は、例えば基板１にシルク印刷で記載されたり、エッチングで記載されたりする。
【００２１】
リファレンス５は、部品２に関する情報（例えば部品番号）などを有する文字列でからなる。リファレンス５は、例えば、抵抗器の場合、Ｒ１，Ｒ２，・・・、コンデンサの場合、Ｃ１，Ｃ２，・・・、トランジスタの場合、Ｑ１，Ｑ２，・・・といった文字列からなる。リファレンス５は、一つの部品２に対して一つずつ割り当てられる。
【００２２】
基板１上には、互いに隣接して配置された複数の部品２を囲む境界線６が記載される。境界線６の内側の領域に配置された複数の部品２に関する複数のリファレンス５は、境界線６で囲まれた複数の部品２の近傍、又は、離れた位置にまとめて１箇所にリファレンス群７として記載される。
【００２３】
リファレンス群７は、複数のリファレンス５を含み、複数の部品２の配置関係に対応して、互いに隣接して配置される。例えば、基板１の板面が、Ｘ軸とＹ軸で規定されるＸＹ平面に平行な面であるとした場合、境界線６で囲まれた領域内における複数の部品２のＸ方向の並び及びＹ方向の並びが、リファレンス群７における複数のリファレンス５のＸ方向の並び及びＹ方向の並びと一致するように各リファレンス５が配置される。
【００２４】
なお、リファレンス群７は、境界線８で囲まれてもよい。この場合、リファレンス群７を囲む境界線８は、複数の部品２を囲む境界線６と相似形状ではなく、例えば、長方形等である。
【００２５】
また、リファレンス５は、横書きの文字列からなり、複数の文字が横方向に直線状に配置される。したがって、リファレンス５は、横方向に対して平行な長手方向を有する。部品２が基板１上に配置された状態でほぼ長方形を有する場合（すなわち、部品２の縦横比が等しくない場合）、その部品２に関するリファレンス５の長手方向は、基板１に配置された部品２の長手方向に一致させて基板１上に記載される。また、部品２が基板１上に配置された状態でほぼ正方形を有する場合（すなわち、部品２の縦横比が等しい場合）、リファレンス５の長手方向は、部品２の本体部への脚部の取り付き方などから技術者によって容易に類推される部品２の横方向に一致させて基板１上に記載される。
【００２６】
基板１上には、境界線６に囲まれた複数の部品２の近傍に第１リンク記号９が配置され、リファレンス群７の近傍に第２リンク記号１０が記載される。第１リンク記号９は、複数の部品２を包括的に表わす記号である。第１リンク記号９と第２リンク記号１０は、同一の記号であり、記号は、例えば、＊１，＊２・・・などである。
【００２７】
第１リンク記号９と第２リンク記号１０は、同一の記号であって、第１リンク記号９が複数の部品２の近傍に配置され、第２リンク記号１０がリファレンス群７の近傍に配置されることから、ユーザーは、第１リンク記号９と第２リンク記号１０を関連付けて参照できる。したがって、基板１上において、複数の部品２とリファレンス群７が離れた位置にある場合でも、基板１を見たとき、ユーザーは、複数の部品２に関するリファレンス群７を関連付けて認識できる。なお、ユーザーは、空調機のメンテナンスを行う保全管理者、空調機の設計者、製造者などである。
【００２８】
リファレンス群７は、基板１上の空いている空間に配置される。基板１上の空いている空間とは、基板１上に電気電子部品２を配置する設計を行う際、リファレンス５やリファレンス群７の配置位置や大きさを考慮せず、電気電子部品２の配置のみを考慮した結果、基板１上に生じる空間である。
【００２９】
本実施形態では、部品２の近傍に必ずリファレンス５を配置するという制約や、リファレンス５のため複数の部品２を囲む境界線６と相似形の形状を記載するという制約がないため、基板１上に電気電子部品２を配置する設計を行う際、リファレンス５やリファレンス群７の配置位置や大きさを考慮しなくてよいことから、基板１を小型化しやすい。また、基板１上の空いている空間にリファレンス群７を配置すればよいことから、部品２間の狭い空間にリファレンス５を配置する必要がない。さらに、リファレンス５を構成する文字を小さくしなくてもよいため、ユーザーがリファレンス５を読みにくくなることがなく視認しやすい。
【００３０】
強電用領域３は、弱電用領域４に比べて、基板１上に配置される部品２間の間隔が広い。一方、弱電用領域４では、複数の部品２間の間隔が小さく、複数の部品２が密集しており、各部品２の近傍にリファレンス５を配置しにくい。本実施形態によれば、弱電用領域４の複数の部品２を囲む境界線６を配置し、弱電用領域４の複数の部品２に関するリファレンス５を含むリファレンス群７を、強電用領域３に配置できる。これにより、図２に示すように、比較的部品２間の空間が広い強電用領域３において、リファレンス群７が配置されるため、弱電用の部品２が配置された弱電用領域４において、部品２間の空間が狭く、弱電用の部品２に関するリファレンス群７を配置しにくい場合であっても、リファレンス群７を基板１上で認識できる。
【００３１】
以上、本実施形態によれば、ユーザーが、境界線６に囲まれた複数の部品２に関するリファレンス５を探すとき、まず、複数の部品２の近傍に配置された第１リンク記号９を見つけ、第１リンク記号９と同一の記号である第２リンク記号１０が近傍に配置されたリファレンス群７を探す。これにより、ユーザーは、境界線６に囲まれた複数の部品２に関するリファレンス群７を関連付けて認識できる。
【００３２】
ユーザーによって認識されたリファレンス群７において、複数のリファレンス５のＸ方向の並び及びＹ方向の並びが、境界線６で囲まれた領域内における複数の部品２のＸ方向の並び及びＹ方向の並びと一致している。また、リファレンス群７おける各リファレンス５の文字列の長手方向と、境界線６で囲まれた領域内における各部品２の長手方向（又は横方向）とが一致している。したがって、ユーザーは、境界線６で囲まれた領域内における複数の部品２と、リファレンス群７における複数のリファレンス５とを一対一で対応付けることができる。
【００３３】
以上より、基板１を見たとき、ユーザーは、複数の部品２に対応するリファレンス群７を探しやすく、かつ、リファレンス群７における複数のリファレンス５のうちそれぞれのリファレンス５が、どの部品２に対応しているかを認識しやすい。また、リファレンス５の長手方向が、基板１に配置された部品２の配置方向に対応している。そのため、複数のリファレンス５を囲む境界線８の形状が、対応する複数の部品２を囲む境界線６の形状と相似形ではない場合でも、それぞれのリファレンス５が、どの部品２に対応しているかを認識できる。
【００３４】
したがって、本実施形態によれば、リファレンス群７を配置する場所に制約がなく、本実施形態のリファレンス群７は、基板１上の空いている空間に配置されやすい。また、部品２の近傍に必ずリファレンス５を配置するという制約や、リファレンス５のため複数の部品２を囲む境界線６と相似形の形状を記載するという制約がないため、基板１上に電気電子部品２を配置する設計を行う際、リファレンス５やリファレンス群７の配置位置や大きさを考慮しなくてよいことから、基板１を小型化しやすい。
【符号の説明】
【００３５】
１    ：基板
２    ：電気電子部品，部品
３    ：強電用領域
４    ：弱電用領域
５    ：リファレンス
６    ：境界線
７    ：リファレンス群
８    ：境界線
９    ：第１リンク記号
１０  ：第２リンク記号
【図１】
2017199778.tif 000003
【図２】
2017199778.tif 000004